(57)【特許請求の範囲】
【請求項１】
橋台又は橋脚の間に橋桁を張出架設するに際して、上記橋台又は橋脚の上部に設置された本設ゴム沓の上部に該本設ゴム沓の圧縮バネ係数よりも小さい圧縮バネ係数の仮設ゴム沓を予め設置しておき、その仮設ゴム沓上に上記橋桁を支持させた状態で該橋桁を張出架設した後、上記橋桁をジャッキアップして上記仮設ゴム沓を取り除き、ジャッキダウンして上記橋桁を上記本設ゴム沓上に設置することを特徴とする橋梁の張出架設工法。
【請求項２】
上記本設ゴム沓は、橋台上又は橋脚上に固定されたベースプレートと、該ベースプレート上に下沓を介して設置された本設ゴム体と、該本設ゴム体の上部に固定された当接板と、上記ベースプレート上の両側に立設され、本設ゴム体の橋軸方向と直角の方向への動きを規制する本設サイドブロックとを有することを特徴とする請求項１記載の橋梁の張出架設工法。
【請求項３】
上記仮設ゴム沓は、本設ゴム沓の上部に載置される底板と、該底板の上部に載置される仮設ゴム体と、該仮設ゴム体の上部に載置される天板とを有することを特徴とする請求項１記載の橋梁の張出架設工法。
【請求項４】
上記仮設ゴム体は、中板を介して複数枚積層されていることを特徴とする請求項３記載の橋梁の張出架設工法。
【請求項５】
上記底板は、上記本設サイドブロックに係合する第１係合部と、上記当接板の両側部を規制する規制部と、上記仮設ゴム体の橋軸方向と直角の方向への動きを規制する仮設サイドブロックとを有し、上記天板は、上記仮設サイドブロックに係合する第２係合部を有することを特徴とする請求項３記載の橋梁の張出架設工法。
【請求項６】
橋台又は橋脚の上部に設置された本設ゴム沓の上部に該本設ゴム沓の圧縮バネ係数よりも小さい圧縮バネ係数の仮設ゴム沓を設置し、その仮設ゴム沓上に上記橋桁を支持させる橋梁の張出架設構造であって、上記本設ゴム沓は、橋台上又は橋脚上に固定されたベースプレートと、該ベースプレート上に下沓を介して設置された本設ゴム体と、該本設ゴム体の上部に固定された当接板と、上記ベースプレート上の両側に立設され、本設ゴム体の橋軸方向と直角の方向への動きを規制する本設サイドブロックとを有することを特徴とする橋梁の張出架設構造。
【請求項７】
上記仮設ゴム沓は、本設ゴム沓の上部に載置される底板と、該底板の上部に載置される仮設ゴム体と、該仮設ゴム体の上部に載置される天板とを有することを特徴とする請求項６記載の橋梁の張出架設構造。
【請求項８】
上記仮設ゴム体は、中板を介して複数枚積層されていることを特徴とする請求項７記載の橋梁の張出架設構造。
【請求項９】
上記底板は、上記本設サイドブロックに係合する第１係合部と、上記当接板の両側部を規制する規制部と、上記仮設ゴム体の橋軸方向と直角の方向への動きを規制する仮設サイドブロックとを有し、上記天板は、上記仮設サイドブロックに係合する第２係合部を有することを特徴とする請求項７記載の橋梁の張出架設構造。
【発明の詳細な説明】
【技術分野】
【０００１】
本発明は、橋梁の張出架設工法及び張出架設構造に係り、特に張出架設時の本設ゴム沓の回転変位を抑制する技術に関するものである。
【背景技術】
【０００２】
橋梁においては、橋台又は橋脚の上部（沓座）に支承（沓ともいう）を設置し、該支承により橋桁を支持するようになっている。この支承としては、地震時などの橋軸方向の水平力を容易に吸収できるゴム沓（ゴム支承装置）が知られている（例えば特許文献１参照）。
【０００３】
上記ゴム沓にあっては、例えば橋台又は橋脚の間に橋桁をブロックごとに継ぎ足して張出架設する架設工法の場合、図８に模式的に示すように上記橋台又は橋脚の上部（沓座）１６に設置されたゴム沓（本設ゴム沓）７のゴム体（本設ゴム体）１２には片持ち梁状に延出された橋桁の荷重によって回転角θの回転変位が生じ、ゴム体１２の橋軸方向前側には変位量δ１の圧縮応力が、ゴム体１２の橋軸方向後側には同変位量の引張応力がそれぞれ生じる。上記引張応力が大きくなると、ひび割れが生じるなど、耐久性の低下を招く虞がある。
【０００４】
このため、橋梁の張出架設工法においては、橋桁の張出長さを小さくして回転角を小さくするか、或いは橋桁の張出側をワイヤで吊って回転角を小さくしていた。
【０００５】
【特許文献１】特開２００５−１１３５１２号公報
【発明の開示】
【発明が解決しようとする課題】
【０００６】
しかしながら、橋梁の張出架設工法においては、橋桁の張出長さが大きくなる又はワイヤが使用できない場合、ゴム沓の引張限度を超えるため、工事上支障があった。
【０００７】
なお、特許文献１に記載されたゴム支承装置は、硬質板と弾性ゴム層との積層体から成る剪断変形機能を有する第２ゴム支承体上に、当接板を介して橋桁の鉛直反力支持機能及び橋桁の回転吸収機能を有する第１ゴム支承体を一体的に積層させて構成して成るため、既存のゴム沓（本設ゴム沓）に比して支承高さだけでなく製造コストも高くなり、橋梁の建設コストの増大を余儀なくされる。
【０００８】
本発明は、上記事情を考慮してなされたものであり、橋桁の張出長さが大きくなる又はワイヤが使用できない場合でも、本設ゴム沓の引張限度を超えることがない橋梁の張出架設工法及び張出架設構造を提供することを目的とする。
【課題を解決するための手段】
【０００９】
上記目的を達成するために、本発明のうちの第１の発明は、橋台又は橋脚の間に橋桁を張出架設するに際して、上記橋台又は橋脚の上部に設置された本設ゴム沓の上部に該本設ゴム沓の圧縮バネ係数よりも小さい圧縮バネ係数の仮設ゴム沓を予め設置しておき、その仮設ゴム沓上に上記橋桁を支持させた状態で該橋桁を張出架設した後、上記橋桁をジャッキアップして上記仮設ゴム沓を取り除き、ジャッキダウンして上記橋桁を上記本設ゴム沓上に設置することを特徴とする橋梁の張出架設方法である。
【００１０】
上記本設ゴム沓は、橋台上又は橋脚上に固定されたベースプレートと、該ベースプレート上に下沓を介して設置された本設ゴム体と、該本設ゴム体の上部に固定された当接板と、上記ベースプレート上の両側に立設され、本設ゴム体の橋軸方向と直角の方向への動きを規制する本設サイドブロックとを有することが好ましい。
【００１１】
上記仮設ゴム沓は、本設ゴム沓の上部に載置される底板と、該底板の上部に載置される仮設ゴム体と、該仮設ゴム体の上部に載置される天板とを有することが好ましい。
【００１２】
上記仮設ゴム体は、中板を介して複数枚積層されていることが好ましい。
【００１３】
上記底板は、上記本設サイドブロックに係合する第１係合部と、上記当接板の両側部を規制する規制部と、上記仮設ゴム体の橋軸方向と直角の方向への動きを規制する仮設サイドブロックとを有し、上記天板は、上記仮設サイドブロックに係合する第２係合部を有することが好ましい。
【００１４】
第２の発明は、橋台又は橋脚の上部に設置された本設ゴム沓の上部に該本設ゴム沓の圧縮バネ係数よりも小さい圧縮バネ係数の仮設ゴム沓を設置し、その仮設ゴム沓上に上記橋桁を支持させる橋梁の張出架設構造であって、上記本設ゴム沓は、橋台上又は橋脚上に固定されたベースプレートと、該ベースプレート上に下沓を介して設置された本設ゴム体と、該本設ゴム体の上部に固定された当接板と、上記ベースプレート上の両側に立設され、本設ゴム体の橋軸方向と直角の方向への動きを規制する本設サイドブロックとを有することを特徴とする橋梁の張出架設構造である。
【００１５】
上記仮設ゴム沓は、本設ゴム沓の上部に載置される底板と、該底板の上部に載置される仮設ゴム体と、該仮設ゴム体の上部に載置される天板とを有することが好ましい。
【００１６】
上記仮設ゴム体は、中板を介して複数枚積層されていることが好ましい。
【００１７】
上記底板は、上記本設サイドブロックに係合する第１係合部と、上記当接板の両側部を規制する規制部と、上記仮設ゴム体の橋軸方向と直角の方向への動きを規制する仮設サイドブロックとを有し、上記天板は、上記仮設サイドブロックに係合する第２係合部を有することが好ましい。
【発明の効果】
【００１８】
本発明によれば、橋桁の張出長さが大きくなる又はワイヤが使用できない場合でも、本設ゴム沓の引張限度を超えることがなく、橋梁の張出架設工事を支障なく行うことができる。
【発明を実施するための最良の形態】
【００１９】
以下に、本発明を実施するための最良の形態を添付図面に基いて詳述する。図１は本発明の橋桁の張出架設工法及び張出架設構造を説明するための概略的説明図、図２は図１のＡ部の本設ゴム沓を示す概略的斜視図、図３は図１のＢ部の本設ゴム沓を含む仮設ゴムを示す概略的斜視図、図４は本設ゴム沓を含む仮設ゴム沓の側面図、図５は本設ゴム沓を含む仮設ゴム沓の正面図、図６は図５のＣ−Ｃ線断面図である。
【００２０】
図１において、１は橋梁、２，３は橋台、４は橋脚、５は橋桁、６は支保工（ベント）である。上記橋桁５は長手方向に適宜間隔で分割された複数のブロック５ｎにより構成される。上記橋梁１は、橋台２，３又は橋脚４の間、図１の例の場合、左端の橋台２から中間の橋脚４を経て右端の橋台３に向かって橋桁５をブロックごとに継ぎ足していく張出架設工法ないし張出架設構造を採用することによって建設される。
【００２１】
上記橋台２，３及び橋脚４の上部には、例えば図２に示すように本設ゴム沓７が設置され、最終的にはこれらの本設ゴム沓７を介して橋桁５が支持される。但し、橋脚４から右端の橋台３に向かって橋桁５を張出架設する工程では、橋桁５の張出長さが大きくなる又はワイヤが使用できない場合でも、本設ゴム沓７の引張限度を超えることがないようにするために、図３に示すように上記橋脚４上の本設ゴム沓７の上部には該本設ゴム沓７の圧縮バネ係数よりも小さい圧縮バネ係数の仮設ゴム沓８が予め設置され、この仮設ゴム沓８は張出架設工事後に取り除かれる。
【００２２】
上記本設ゴム沓７は、図２ないし図３に示すように、橋台２，３上又は橋脚４上に固定されたベースプレート１０と、該ベースプレート１０上に下沓１１を介して設置された本設ゴム体１２と、該本設ゴム体１２の上部に固定された当接板（上沓ともいう）１３と、上記ベースプレート１０上の両側に立設され、本設ゴム体１２の橋軸方向と直角の方向への動きを規制する本設サイドブロック１４とを有する。具体的には、本設サイドブロック１４は、上記ベースプレート１０上の両側に立設され、本設ゴム体１２の橋軸方向の弾性変形及び当接板１３の橋軸方向の移動を許容し、本設ゴム体の橋軸方向と直角の方向への弾性変形及び当接板１３の橋軸方向と直角の方向への移動を規制する。
【００２３】
本設ゴム体１２は、複数枚の鉄板と弾性ゴム層との積層体から成る（図示省略）。この本設ゴム体１２の下部には下沓１１が一体に取付けられ、この下沓１１がベースプレート１０上にセットボルト等により固定されている。また、本設ゴム体１２の上部には上沓である当接板１３が一体に取付けられている。この当接板１３の側面部には本設サイドブロック１４との摩擦抵抗を軽減するためのフッ素樹脂層（図示省略）が設けられている。
【００２４】
上記ベースプレート１０は、複数本のアンカーボルト１５を介して橋台２，３又は橋脚４の沓座１６に固定されている。上記本設サイドブロック１４は正面逆Ｔ字状に形成されており、上記ベースプレート１０上に複数本のセットボルト１７を介して固定されている。上記当接板（上沓）１３上には、橋桁５の下部フランジ１８に溶接されたソールプレート１９が複数本のセットボルト２０を介して固定される。
【００２５】
上記仮設ゴム沓８は、図３〜図６に示すように、本設ゴム沓７の上部に載置される底板２１と、該底板２１の上部に載置される仮設ゴム体２２と、該仮設ゴム体２２の上部に載置される天板２３とを有する。本設ゴム沓７の高さは例えば４２５ｍｍ程度であり、仮設ゴム沓８の高さは例えば３３２ｍｍ程度である。上記仮設ゴム体２２は、上記本設ゴム体１２と同様、複数枚の鉄板と弾性ゴム層との積層体から成る。仮設ゴム体２２としては、既存の仮設用ゴムパッドを用いることが可能である。この仮設ゴム体２２の大きさは、例えば縦１１１５ｍｍ程度、横５６５ｍｍ程度、高さ９０ｍｍ程度である。また、仮設ゴム体２２のバネ係数は１４６６ＫＮ／ｍｍ程度であり、本設ゴム体１２のバネ係数３１８５ＫＮ／ｍｍ程度の３分の１程度である。
【００２６】
本実施形態では、仮設ゴム体２２が左右に複数例えば２枚並べると共に上下に複数例えば２枚積層されている。これら上下の仮設ゴム体２２間には中板２４が介在されている。このように仮設ゴム体２２が中板２４を介して複数枚積層される構造になっているため、既存の架設用ゴムパッドを用いて所望高さの仮設ゴム体を現場で容易に構成することができると共に高さ調整も容易に行うことができる。上記底板２１は、上記本設サイドブロック１４に係合する第１係合部２５と、上記当接板１３の両側部を規制する規制部２６と、上記仮設ゴム体２２の橋軸方向と直角の方向への動きを規制する仮設サイドブロック２７とを有し、上記天板２３は、上記仮設サイドブロック２７に係合する第２係合部２８を有する。
【００２７】
上記第１係合部２５は、底板２１の両側部の各中央に平面Ｕ字状の溝として形成されている。上記仮設サイドブロック２７は、本設サイドブロック１４と同様、正面逆Ｔ字状であり、底板２１の両側に第１係合部２５を挟むように２個ずつ立設されている。上記仮設サイドブロック２７と規制部２６とは、底板２１を挟んで上下にボルト２９とナット３０を介して固定されている。上記底板２１の上面、天板２３の下面、及び中板２４の上下両面には、仮設ゴム体２２の四辺を囲んで水平方向の移動を規制する規制片３１がそれぞれ突設されている。
【００２８】
上記第２係合部２８は、平面Ｕ字状の溝として天板２３の両側部に仮設サイドブロック２７と対応して２つずつ形成されている。なお、図４では本設サイドブロック１４の上端部と第１係合部２５とが係合していないが、上部に橋桁５が載置されて本設ゴム体１２が圧縮されることにより、係合するようになる。図４の状態においても、本設サイドブロック１４の上端部は、隣り合う規制部２６間の溝に係合している。
【００２９】
このように、本設サイドブロック１４と底板２１の係合と、仮設サイドブロック２７と天板２３の係合とにより橋桁５から天板２３に作用する水平力を下方の橋台２，３又は橋脚４に伝達し、張出架設工事中には本設ゴム体１２及び仮設ゴム体２２に剪段力が加わらないようになっている。なお、第１係合部２５及び第２係合部２８ないし規制部２６間の溝は、対応する本設サイドブロック１４及び仮設サイドブロック２７に対して若干の遊びを有する大きさに形成されているため、橋桁５の回転に伴う天板２３や底板２１の回転（傾斜）を許容できるようになっている。
【００３０】
上記本設ゴム沓７の上部である当接板１３の上部及び仮設ゴム沓８の上部である天板２３の上部には、平面円形の剪断キー３２，３３がそれぞれ突設されており、橋桁５のソールプレート１９に形成された円形のキー溝（図示省略）に対して剪断キー３２又は３３が嵌合されるようになっている。なお、仮設ゴム沓８の搬送を容易にするために底板２１には吊環３４が設けられていることが好ましい。
【００３１】
次に、橋梁の張出架設工法ないし張出架設構造について説明すると、先ず、橋台２，３又は橋脚４の間に橋桁５を張出架設するに際して、上記橋台２，３又は橋脚４の上部に設置された本設ゴム沓７の上部に該本設ゴム沓７の圧縮バネ係数よりも小さい圧縮バネ係数の仮設ゴム沓８を予め設置しておき、その仮設ゴム沓８上に上記橋桁５を支持させた状態で該橋桁５の張出架設工事を行う。この場合、図７に示すように、橋桁５の回転角θを仮設ゴム沓８によって吸収することができるため、本設ゴム沓７の本設ゴム体１２の変位量δ２を仮設ゴム沓８を使用しない場合の変位量δ１（図８参照）よりも小さくすることができる。従って、橋桁５の張出長さが大きくなる又はワイヤが使用できない場合でも、本設ゴム沓７の引張限度を超えることがなく、橋梁５の張出架設工事を支障なく行うことができる。また、本設ゴム沓７の引張限度を超えることがないので、本設ゴム沓７の耐久性の向上が図れる。
【００３２】
そして、張出架設後には、上記橋桁５をジャッキアップして上記仮設ゴム沓８を取り除き、ジャッキダウンして上記橋桁５を上記本設ゴム沓７上に設置すればよい。なお、上記ジャッキアップ及びジャッキダウンは、ジャッキを橋台２，３又は橋脚４の上部と橋桁５の下部との間に設置して行えばよい（図示省略）。なお、ジャッキダウンして上記橋桁５を上記本設ゴム沓７上に設置した状態は、図２に示す状態と同様であるため、図示省略する。
【００３３】
上記張出架設工法ないし張出架設構造においては、既存の本設ゴム沓７を使用できるだけでなく、仮設ゴム沓８は張出架設工事時にのみ使用し、工事後に取り除いて何度も使用できるため、経済的であり、橋梁の建設コストの低減が図れる。
【００３４】
以上、本発明の実施の形態を図面により詳述してきたが、本発明は前記実施の形態に限定されるものではなく、本発明の要旨を逸脱しない範囲での種々の設計変更が可能である。
【図面の簡単な説明】
【００３５】
【図１】本発明の橋梁の張出架設工法及び張出架設構造を説明するための概略的説明図である。
【図２】図１のＡ部の本設ゴム沓の構造を示す概略的斜視図である。
【図３】図１のＢ部の本設ゴム沓を含む仮設ゴム沓を示す概略的斜視図である。
【図４】本設ゴム沓を含む仮設ゴム沓の側面図である。
【図５】本設ゴム沓を含む仮設ゴム沓の正面図である。
【図６】図５のＣ−Ｃ線断面図である。
【図７】本実施形態の効果を説明する模式図である。
【図８】従来の張出架設工法における問題点を説明する模式図である。
【符号の説明】
【００３６】
１  橋梁
２，３  橋台
４  橋脚
５  橋桁
７  本設ゴム沓
８  仮設ゴム沓
１０  ベースプレート
１１  下沓
１２  本設ゴム体
１３  当接板
１４  本設サイドブロック
２１  底板
２２  仮設ゴム体
２３  天板
２４  中板
２５  第１係合部
２６  規制部
２７  仮設サイドブロック
２８  第２係合部
【図１】
0005209327.tif 000002
【図２】
0005209327.tif 000003
【図３】
0005209327.tif 000004
【図４】
0005209327.tif 000005
【図５】
0005209327.tif 000006
【図６】
0005209327.tif 000007
【図７】
0005209327.tif 000008
【図８】
0005209327.tif 000009